(57)【特許請求の範囲】
【請求項１】
胴部２上端から起立する口頸部３の下部内面に下方小径のテ−パ状弁座７を形成し、かつ該弁座上面に玉弁８を載置させて吐出弁９を形成したチューブ容器本体１と、上記口頸部３の上部内面に、頂壁１４周縁から垂設した筒部１５を嵌着させると共に、頂壁１４に透孔１７を穿設し、かつ頂壁１４上面を凹面とした栓体１３と、上記口頸部３外面に有頂の周壁２４を嵌合させたキャップ２２とからなり、上記栓体１３上面と、該栓体上面を囲むチューブ容器本体１の口頸部３上端面部分とを色違いに形成したことを特徴とするチューブ容器。
【請求項２】
胴部２上端から口頸部３を起立するチューブ容器本体１と、上記口頸部３内面に、頂壁１４周縁から垂設した筒部１５を嵌着させると共に、頂壁１４に透孔１７を穿設し、かつ頂壁１４上面を凹面とした栓体１３と、上記口頸部３外面に、上端面を頂壁部２３で閉塞した周壁２４を嵌合させ、かつ頂壁部２３下面を、上記頂壁１４上面ないし該頂壁を囲むチューブ容器本体１の口頸部３上端面へ気密に圧接させたキャップ２２とからなり、上記栓体１３上面と、該栓体上面を囲むチューブ容器本体１の口頸部３上端面部分とを色違いに形成したことを特徴とするチューブ容器。
【発明の詳細な説明】
【０００１】
【産業上の利用分野】
本発明はチューブ容器に係る。
【０００２】
【従来の技術】
【発明が解決しようとする課題】
胴部上端から起立する口頸部内面に注出栓を、かつ口頸部外面にキャップを、それぞれ嵌合させたチューブ容器が広く知られている。
【０００３】
上記従来チューブ容器では、収納クリーム状物を目分量で吐出させるから、少量のクリーム状物が必要な場合でも、往々にして必要以上に吐出して無駄となることがあり、該不都合を解消するために、例えば計量キャップを添付することも考えられるが、計量に手間がかかって面倒であり、かつ計量キャップを紛失し易い不都合がある。
【０００４】
図１ないし図８が示す請求項１の発明は、チューブ容器の口頸部内に吐出弁を形成すると共に、注出栓の頂壁上面を凹面とし、かつ該頂壁に吐出孔を穿設することで、略定量のクリーム状物を容易に得ることができるよう設けた。
【０００５】
図９，図１０が示す請求項２の発明は、注出栓の頂壁上面を凹面とし、かつ該頂壁に吐出孔を穿設することで、略定量のクリーム状物を容易に得ることができるように、かつ吐出弁を省略することによって、請求項１の発明の容器に比して簡易な構成となるよう設けた。
【０００６】
【課題を解決するための手段】
胴部２上端から起立する口頸部３の下部内面に下方小径のテ−パ状弁座７を形成し、かつ該弁座上面に玉弁８を載置させて吐出弁９を形成したチューブ容器本体１と、上記口頸部３の上部内面に、頂壁１４周縁から垂設した筒部１５を嵌着させると共に、頂壁１４に透孔１７を穿設し、かつ頂壁１４上面を凹面とした栓体１３と、上記口頸部３外面に有頂の周壁２４を嵌合させたキャップ２２とからなり、上記栓体１３上面と、該栓体上面を囲むチューブ容器本体１の口頸部３上端面部分とを色違いに形成した。
【０００７】
胴部２上端から口頸部３を起立するチューブ容器本体１と、上記口頸部３内面に、頂壁１４周縁から垂設した筒部１５を嵌着させると共に、頂壁１４に透孔１７を穿設し、かつ頂壁１４上面を凹面とした栓体１３と、上記口頸部３外面に、上端面を頂壁部２３で閉塞した周壁２４を嵌合させ、かつ頂壁部２３下面を、上記頂壁１４上面ないし該頂壁を囲むチューブ容器本体１の口頸部３上端面へ気密に圧接させたキャップ２２とからなり、上記栓体１３上面と、該栓体上面を囲むチューブ容器本体１の口頸部３上端面部分とを色違いに形成した。
【０００８】
【作用】
図１の状態から図２が示すように、キャップ２２を螺脱させ、かつ正立状態でチューブ容器本体１の胴部２を圧搾すると、吐出弁９が開弁して、チューブ容器本体１内のクリーム状物が栓体１３の透孔１７…から頂壁１４上面へ吐出され、かつ図４，  図５が示すように、クリーム状物が頂壁１４上面の窪み、即ち凹面を満たすまで吐出させることによって、略定量かつ少量のクリーム状物を得ることができ、該吐出終了後、チューブ容器本体１の胴部２を解放し、頂壁１４上面のクリーム状物を指先で拭って使用し、かつ使用後、チューブ容器本体１の口頸部３へキャップ２２を螺合させる。当該実施例では、口頸部３内下部に弁座７と玉弁８とで吐出弁９を付設したから、チューブ容器本体１内へ外気が吸入されることを阻止できる。
【０００９】
図６、図７が示す第２実施例および図８が示す第３実施例においても、栓体１３の頂壁１４上面の凹面がクリーム状物で満たされるまで、チューブ容器本体１内のクリーム状物を吐出させることによって、略定量のクリーム状物を得ることができる。
【００１０】
図９が示す第４実施例および図１０が示す第５実施例においても、栓体１３の頂壁１４上面の凹面がクリーム状物で満たされるまで、チューブ容器本体１内のクリーム状物を吐出させることによって、略定量のクリーム状物を得ることができる。また、該第４，  第５実施例の容器には、上記第１から第３実施例の容器のように吐出弁９が付設されてないので、キャップ２２をチューブ容器本体１の口頸部３外面へ螺合させた後に、チューブ容器本体１胴部２の圧搾を解放し、チューブ容器本体１内へ外気が吸入されるのを阻止する。
【００１１】
【実施例】
図１から図５は、本発明チューブ容器の第１実施例を示す。該第１実施例において、１はチューブ容器本体であり、該チューブ容器本体は、下端を板状に潰しかつ熱溶着により閉塞した胴部２上端から肩部を介して口頸部３を、かつ該口頸部の内面下端に付設した内向きフランジ状壁４を介して内筒部５を、それぞれ起立すると共に、内筒部５の内面下端に内向きフランジ状の底壁６を付設し、かつ該底壁内周部を斜め下内方へ屈曲させて形成した下方小径のテ−パ状弁座７と、該弁座上面へ載置させた玉弁８とで吐出弁９を形成し、また、上記内筒部５の下部外面に細溝部１０を周設し、かつ内筒部５内面に複数のリブ１１を等間隔に縦設して、内筒部５内面と上記玉弁８外面との間にクリーム状物流出用の通路を形成している。
【００１２】
１３は栓体であり、該栓体は、上記口頸部３内面と内筒部５外面との間に、頂壁１４周縁から垂設した筒部１５を嵌合させ、かつ該筒部の下部内面に周設した係合突条を既述細溝部１０内へ係止させ、また、上記頂壁１４上面を凹面とすると共に口頸部３上端面と色違いに形成し、更に、頂壁１４上面の半径方向中間に穿設したリング状溝１６の底壁に小径の透孔１７…を複数穿設し、更に、それ等透孔１７…直ぐ外方の頂壁１４部分下面から垂設した短周壁１９を既述内筒部５の上端部内面へ水密に嵌合させ、かつ頂壁１４の下面中央部から上記玉弁８の動きを所定範囲に制限する棒部１８を垂設している。
【００１３】
２２はキャップであり、該キャップは、頂壁部２３周縁から垂設した周壁２４を上記口頸部３外面へ螺合させ、かつ頂壁部２３中央部に形成した凹部下面を上記栓体１３の頂壁１４上面へ気密に圧接させて既述透孔１７…を密閉している。
【００１４】
上記第１実施例では、栓体１３の頂壁１４上面の半径方向中間に穿設したリング状溝１６の底壁に透孔１７…を複数穿設したから、粘性がやや大きいクリーム状物を収納させ、かつ図２が示す状態としてチューブ容器本体１の胴部２を圧搾すると、各透孔１７…から吐出されたクリーム状物がリング状溝１６内方の頂壁１４部分上面へ集まり、かつ徐々に頂壁１４上面の凹面を満たして、最終的には、図５が示すように山状に盛り上がることとなり、よって、計量時にクリーム状物が溢れてチューブ容器本体１外面を汚すようなことがない。
【００１５】
図６，  図７は第２実施例を示すもので、該実施例のチューブ容器本体１は、胴部２上端から肩部を介して起立する螺筒部２６、該螺筒部上端に付設した内向きフランジ状の上端壁部２７および該上端壁部内周縁から垂設した内周壁２８によって口頸部３を形成し、また、内周壁２８下端から内向きフランジ状壁４を介して垂設する内筒部５下部を斜め下内方へ屈曲させて形成したテ−パ状弁座７と、該弁座上面に載置させた玉弁８とで吐出弁９を形成し、更に、上記内筒部５内面に複数のリブ１１を縦設し、かつ内周壁２８内面の上下に係合溝２９，  ２９を周設している。また、栓体１３は、上記内周壁２８内面へ筒部１５を水密に嵌合させ、かつ該筒部外面の上下に周設した係合突起３０，  ３０を上記係合溝２９，  ２９内へ係止させ、また図６が示すように、頂壁１４全体に相互に近接する小径の透孔１７…を多数穿設し、更に、頂壁１４の下面中央部から玉弁８制御用の棒部１８を垂設している。また、キャップ２２は、頂壁部２３周縁から垂設した周壁２４をチューブ容器本体１の口頸部３外面へ螺合させ、かつ頂壁部２３下面に周設した短筒部３１の下端面を、上記チューブ容器本体１の上端壁部２７上面内周部へ気密に圧接させている。当該第２実施例のものは、高粘性のクリーム状物を収納する容器として適し、栓体１３の頂壁１４全体に相互に近接する小径の透孔１７…を多数穿設したから、各透孔１７…から吐出されたクリーム状物が互いに結合し、かつ徐々に盛り上がって頂壁１４上面の凹面を満たし、最終的には、図５が示すクリーム状物のように山状に盛り上がることとなり、よって、クリーム状物が高粘性である場合も何ら支障なく計量できる。
【００１６】
図８は第３実施例を示すもので、該実施例は、以下の点においてのみ、図６，図７が示す第２実施例と異なる。即ち、胴部２上端から起立する螺筒部２６と、該螺筒部の上部内面に嵌合させた上方筒３３とで口頸部３を形成し、その上方筒３３は、基筒部３４上端に付設した外向きフランジ状壁３５を上記螺筒部２６上端面へ、かつ基筒部３４下端に付設した内向きフランジ３６を、螺筒部２６内面中間に付設した内向きフランジ状壁４上面へ、それぞれ係合させて、基筒部３４を内向きフランジ状壁４上方の螺筒部２６部分内面へ嵌着させ、また、上記内向きフランジ３６内周縁から内筒部５を垂設し、かつ該内筒部の上部外面に周設した小突部３７を上記内向きフランジ状壁４の下面内周部に係合させている。また、栓体１３は、上記基筒部３４内へ筒部１５を水密に嵌合させ、かつ該筒部外面の上下に周設した係合突起３０，  ３０を上記上方筒３３の係合溝２９，  ２９内へ係止させている。また、キャップ２２の頂壁部２３下面に周設した短筒部３１を上記上方筒３３の外向きフランジ状壁３５上面内周部へ気密に圧接させている。当該第３実施例では、上方筒３３に弁座７を形成したから、上記第１，第２実施例のように、弁座７をチューブ容器本体１の一部として一体成形する場合に比べて、チューブ容器本体１の成形が容易となる。
【００１７】
図９は第４実施例を示すもので、以下の点についてのみ、図１ないし図５が示す第１実施例と相違する。即ち、チューブ容器本体１の内筒部５下端に内向きフランジ状の底壁６を付設して、該底壁内周部に形成した弁座７と、該弁座上面へ載置させた玉弁８とで吐出弁９を形成すること、また内筒部５内面にリブ１１を縦設すること、更に、栓体１３の頂壁１４下面から棒部１８を垂設することを省略している。
【００１８】
図１０は第５実施例を示すもので、以下の点についてのみ、図８が示す第３実施例と相違する。即ち、上方筒３３の内向きフランジ３６内周縁から内筒部５を垂設して、該内筒部下部に形成した弁座７と、該弁座上面に載置させた玉弁８とで吐出弁９を形成すること、また栓体１３の頂壁１４下面から棒部１８を垂設することを省略している。
【００１９】
尚、透孔１７は必ずしも複数穿設することを要せず、また、透孔１７の数、透孔１７相互の間隔は、収納するクリーム状物の粘性を考慮して適宜設定するものとし、高粘性の場合は、透孔１７の数を増やして透孔１７間の間隔を狭めればよい。
【００２０】
上記各部材は、玉弁８を除き合成樹脂材で適宜形成するものとし、かつ玉弁８は金属製とするとよい。
【００２１】
【発明の効果】
本発明は上記構成とするものであり、各請求項の発明によれば、栓体１３の頂壁１４上面を凹面とし、かつ頂壁１４に透孔１７を穿設したから、クリーム状物が頂壁１４上面の凹面を満たすまで、クリーム状物を吐出させることによって、定量かつ少量のクリーム状物を容易に得ることができ、また、栓体１３上面と、該栓体上面を囲むチューブ容器本体１の口頸部３上端面部分とを色違いに形成したから、栓体１３の頂壁１４上面の凹面がクリーム状物で満たされたか否かを容易に目視により識別することができ、かつ栓体１３の頂壁１４に穿設する透孔１７の数、透孔１７相互の間隔を適宜設定することによって、高粘性のクリーム状物にも容易に対応することができる。
【００２２】
図１ないし図８が示す請求項１の発明は、チューブ容器本体１の口頸部３下部内面に形成した弁座７と、該弁座上面に載置させた玉弁８とで吐出弁９を形成したから、チューブ容器本体１内へ外気が吸入されのを確実に阻止でき、よって、外気が吸入して収納クリーム状物が酸化等して変質するのを防止することができる。
【００２３】
図９，  ，図１０示す請求項２の発明は、吐出弁９を付設することを省略したから、請求項１の発明の容器に比して構造が簡易となり、廉価に形成することができ、また、キャップ２２の頂壁部２３下面を、栓体１３の頂壁１４上面ないし該頂壁を囲むチューブ容器本体１の口頸部３上端面へ気密に圧接させたから、クリーム状物吐出後、チューブ容器本体１胴部３の圧搾を解放する前に、キャップ２２をチューブ容器本体１の口頸部３外面へ螺合させることによって、チューブ容器本体１内へ外気が吸入されるのを阻止でき、よって、外気が吸入して収納クリーム状物が酸化等して変質するのを防止することができる。
【図面の簡単な説明】
【図１】第１実施例チューブ容器の一部切欠き側面図である。
【図２】キャップを取り外した状態での同実施例要部の斜視図である。
【図３】キャップを取り外した状態での同実施例の平面図である。
【図４】クリーム状物を吐出させた状態を示す同実施例要部の斜視図である。
【図５】クリーム状物を吐出させた状態を示す同実施例要部の拡大縦断面図である。
【図６】第２実施例チューブ容器の要部拡大縦断面図である。
【図７】同実施例の栓体の平面図である。
【図８】第３実施例チューブ容器の要部拡大縦断面図である。
【図９】第４実施例チューブ容器の要部拡大縦断面図である。
【図１０】第５実施例チューブ容器の要部拡大縦断面図である。
【符号の説明】
１…チューブ容器本体  １３…栓  体  ２２…キャップ  ３３…上方筒
【図１】
0003597248.tif 000002
【図２】
0003597248.tif 000003
【図３】
0003597248.tif 000004
【図４】
0003597248.tif 000005
【図５】
0003597248.tif 000006
【図６】
0003597248.tif 000007
【図７】
0003597248.tif 000008
【図８】
0003597248.tif 000009
【図９】
0003597248.tif 000010
【図１０】
0003597248.tif 000011